(57)【要約】      （修正有）【課題】洗濯時に生地が皺になることを抑制可能な装飾体を提供する。【解決手段】装飾体はネクタイ１０であって、表生地２９と、表生地２９の一方の表面に面接触され、かつ、接合される裏張り生地２６と、を有し、裏張り生地２６は、合成繊維製の経糸と合成繊維製の緯糸とを平織したものであり、かつ、表生地２９より強度が高い。【選択図】図３
0003231465.tif 000002
【実用新案登録請求の範囲】
【請求項１】
表生地と、
前記表生地の一方の表面に張り付けられる裏張り生地と、
を有し、
前記裏張り生地は、合成繊維製の経糸と合成繊維製の緯糸とを平織したものであり、かつ、前記表生地より強度が高い、装飾体。
【請求項２】
請求項１記載の装飾体において、
前記経糸及び前記緯糸は、ポリエステル糸を含む、装飾体。
【請求項３】
請求項１または２記載の装飾体において、
前記表生地の表面と前記裏張り生地の表面とが面接触され、かつ、接合されている、装飾体。
【請求項４】
請求項１乃至３の何れか１項記載の装飾体において、前記表生地は、ネクタイの表生地である、装飾体。
【請求項５】
請求項１乃至３の何れか１項記載の装飾体において、前記表生地は、リボンの表生地である、装飾体。
【考案の詳細な説明】
【技術分野】
【０００１】
本考案は、衣服、髪、鞄等に取り付け可能な装飾体に関する。
【背景技術】
【０００２】
衣服に取り付けられる装飾体の一例であるネクタイが、特許文献１に記載されている。特許文献１に記載された耐洗濯性に優れたネクタイは、合成繊維を含む表地を有するネクタイであって、表地は、一端に形成された大剣部と、他端に形成された小剣部とを有し、大剣部及び小剣部の裏地が共に、合成繊維を含むメッシュ状の繊維で形成されている。また、特許文献１には、ネクタイの表地部分の型崩れを防止し、脱水を迅速に行うことができる、と記載されている。
【先行技術文献】
【特許文献】
【０００３】
【特許文献１】特開２０１５−１７２２５８号公報
【考案の概要】
【考案が解決しようとする課題】
【０００４】
本願考案者は、特許文献１に記載されている装飾体は、洗濯時に生地が皺になる可能性がある、という課題を認識した。
【０００５】
本考案の目的は、洗濯時に生地が皺になることを抑制可能な装飾体を提供することにある。
【課題を解決するための手段】
【０００６】
一実施形態の装飾体は、表生地と、前記表生地の一方の表面に張り付けられる裏張り生地と、を有し、前記裏張り生地は、合成繊維製の経糸と、合成繊維製の緯糸とを平織したものであり、かつ、前記表生地より強度が高い。なお、合成繊維の一例として、ポリエステルを用いることが可能である。
【考案の効果】
【０００７】
装飾体の洗濯時に、表生地が皺になることを抑制可能である。
【図面の簡単な説明】
【０００８】
【図１】装飾体の一実施例であるネクタイがシャツに装着されている正面図である。
【図２】ネクタイの平面図である。
【図３】図２のネクタイをIII −III 線に沿って破断した断面図である。
【図４】裏張り生地の模式的な拡大図である。
【図５】装飾体の他の実施例であるリボンの平面図である。
【図６】図５のリボンをVI−VI線に沿って破断した断面図である。
【図７】ネクタイを洗濯する場合に用いるネットの正面図である。
【考案を実施するための形態】
【０００９】
以下、本考案の一実施形態を図面に基づいて説明する。なお、実施形態を説明するための全図において、同一部には原則として同一の符号を付し、その繰り返しの説明は省略する。
【００１０】
（第１実施例）
図１、図２及び図３には、装飾体の一実施例であるネクタイ１０が示されている。ネクタイ１０を平面視すると、ネクタイ１０は、大剣部１７、小剣部１８及び中継ぎ部１９を有する帯状部材である。ネクタイ１０の長さ方向において、中継ぎ部１９は、大剣部１７と小剣部１８との間に設けられている。
【００１１】
ネクタイ１０は、表生地（素材）２９が２箇所で折り返されており、ネクタイ１０は、１つの第１構成部１１と、第１構成部１１に対して折り返し部１２で接続された第２構成部１３と、第１構成部１１に対して折り返し部１４で接続された第２構成部１５と、を有する。第２構成部１３と第２構成部１５とは、縫合されて互いに固定されている。第１構成部１１は、ネクタイ１０をシャツ１６の首へ装着した場合に、シャツ１６を着ている利用者以外の他者から見える箇所である。表生地２９としては、例えば、ポリエステルのジャガード織、シルク、ウール、リネン、化学繊維等を用いることが可能である。
【００１２】
大剣裏地２０が大剣部１７で第１構成部１１に縫合して固定されている。小剣裏地２１が小剣部１８で第１構成部１１に縫合して固定されている。大剣裏地２０及び小剣裏地２１は、例えば、キュプラ、ポリエステル素材などを用いることが可能である。
【００１３】
２つの第２構成部１３，１５は、大剣部１７において、２箇所のかんぬき止め（タック）２２よって、互いに固定され、かつ、大剣裏地２０へ固定されている。２つの第２構成部１３，１５は、小剣部１８において、２箇所のかんぬき止め２３によって互いに固定されている。全てのかんぬき止め２２，２３は、ネクタイ１０が型崩れすることを防止するためのものである。かんぬき止め２２，２３は、穴糸、刺繍糸などである。
【００１４】
小剣部通し（タグ）２４が、大剣部１７における第２構成部１３，１５に対し、縫合して固定されている。小剣部通し２４は、ネクタイ１０が図１のようにシャツ１６へ装着された場合に、小剣部１８の一部を差し込むためのものである。さらに、中継ぎ部１９に首ステッチ２５が設けられている。首ステッチ２５は、第１構成部１１と２つの第２構成部１３，１５とを縫合して固定している。首ステッチ２５は、ネクタイ１０が型崩れすることを防止するためのものである。
【００１５】
また、第１構成部１１及び第２構成部１３，１５を構成する表生地２９の内面に、裏張り生地２６が設けられている。具体的には、表生地２９の一方の表面に裏張り生地２６が固定されている。裏張り生地２６は、ポリエステル製の極薄繊維である。裏張り生地２６は、図４のように、経糸２６Ａ及び緯糸２６Ｂを用いて平織りしたものである。経糸２６Ａ及び緯糸２６Ｂは、共にポリエステル糸で直径が１０デニール程度である。この裏張り生地２６は、引っ張り強度または曲げ強度のなくとも一方が表生地２９よりも高く、かつ、耐摩耗性及び弾性が表生地２９よりも優れている。
【００１６】
ネクタイ１０の製造過程において、第１構成部１１及び第２構成部１３，１５を形成するよりも前の工程で、表生地２９と裏張り生地２６との間に、合成樹脂系接着剤が介在され、かつ、表生地２９と裏張り生地２６とが重ね合わされ、かつ、熱及び圧力が加えられて、表生地２９の表面に裏張り生地２６が接着（接合）されている。このようにして、表生地２９と裏張り生地２６とが面接触され、かつ、接合された後の工程で、表生地２９及び裏張り生地２６が共に折り返される。
【００１７】
さらに、第１構成部１１と第２構成部１３，１５との間に、芯地２７が設けられている。芯地２７は、ネクタイ１０が型崩れすることを防止するためのものである。芯地２７は、大剣部１７、中継ぎ部１９及び小剣部１８に亘って設けられている。芯地２７は、一例として、シルク素材を用いることが可能である。
【００１８】
第１実施例におけるネクタイ１０の裏張り生地２６は、合成繊維製、一例としてポリエステル製の経糸２６Ａと緯糸２６Ｂを平織したものであり、かつ、裏張り生地２６の強度が表生地２９の強度より高い。そして、表生地２９と裏張り生地２６とが面接触され、かつ、接合されている。つまり、裏張り生地２６は、表生地２９を補強する要素としての役割を果たす。このため、ネクタイ１０の洗濯過程、または、ネクタイ１０の脱水過程で、ネクタイ１０に外力、例えば、引っ張り荷重、ねじり荷重、曲げ荷重のうち、少なくとも１つの荷重が加わった場合に、ネクタイ１０が皺になることを抑制できる。具体的には、ネクタイ１０の収縮、曲がり等を抑制可能である。
【００１９】
（第２実施例）
装飾体の一例である衣服用のリボンが、図５及び図６に示されている。リボン３０は、製造過程において、表生地４０を折り返して重ね合わせ、重ね合わされた表生地４０の周囲を縫合したものである。リボン３０は、２つの羽根部３１，３２と、２つの羽根部３１，３２を接続した箇所に設けられた帯部３３と、帯部３３に固定されたバンド３４と、バンド３４に接続された紐部３５と、を有する。
【００２０】
２つの羽根部３１，３２は、留め部３６によって接続されている。留め部３６は、リボン３０の型崩れを抑制するためのものである。紐部３５は、一例としてゴム紐である。バンド３４と紐部３５とは、接続具３７によって接続されている。接続具３７は、プラスチック製である。２つの羽根部３１，３２、帯部３３及びバンド３４は、同じ生地が用いられている。
【００２１】
リボン３０に用いられている表生地４０の構成を説明する。図６は、羽根部３１の断面図であり、羽根部３１は、表生地４０を折り返して重ねられた第１構成部４１及び第２構成部４２を有する。表生地４０は、合成繊維製、一例としてポリエステル製である。そして、リボン３０の製造過程で、表生地４０の片面に裏張り生地２６が張り付けられる。表生地４０と裏張り生地２６とを張り合わせる方法は、表生地２９と裏張り生地２６とを張り合わせる方法と同じである。このようにして、表生地２９と裏張り生地２６とを張り合わせられた後の工程で、表生地４０を折り返して重ねられ、第１構成部４１及び第２構成部４２が形成され、かつ、周囲が縫合される。
【００２２】
第２実施例におけるリボン３０の裏張り生地２６は、共にポリエステルの経糸２６Ａと緯糸２６Ｂを平織したものであり、かつ、裏張り生地２６の強度が表生地４０の強度より高い。そして、表生地４０と裏張り生地２６とが合成樹脂系接着剤で接着（面接合）されている。つまり、裏張り生地２６は、表生地４０を補強する要素としての役割を果たす。このため、リボン３０の洗濯過程、または、リボン３０の脱水過程で、リボン３０に外力、例えば、引っ張り荷重、ねじり荷重、曲げ荷重のうち、少なくとも１つの荷重が加わった場合に、リボン３０が皺になることを抑制できる。具体的には、リボン３０の収縮、曲がり等を抑制可能である。
【００２３】
（その他）
装飾体の一例であるネクタイ１０を洗濯及び脱水する場合に用いるネットの一例が、図７に示されている。ネット５０の組成は、合成繊維（例えば、ポリエステル１００％）であり、メッシュの袋形状としたものである。ネット５０は、前側片５１及び差し込み片５２を有し、前側片５１の一部と、差し込み片５２の一部とが重なっている。前側片５１と差し込み片５２とが重なっている箇所が開口部５３である。利用者は、ネクタイ１０を折りたたんだ状態で開口部５３からネット５０の内部へ入れる。利用者は、ネット５０に入れた状態でネクタイ１０を洗濯可能である。
【００２４】
また、利用者は、ネクタイ１０をネット５０の内部から開口部５３を介してネット５０の外部へ取り出すことができる。なお、リボン３０をネット５０に入れて洗濯及び脱水することも可能である。この場合、ネット５０の形状および構造は、リボン３０の形状及び大きさに合わせたものが用いられる。
【００２５】
本実施形態で説明された事項の技術的意味の一例は、次の通りである。ネクタイ１０及びリボン３０は、それぞれ装飾体の一例である。表生地２９，４１は、それぞれ表生地の一例であり、裏張り生地２６は、裏張り生地の一例である。経糸２６Ａは、経糸の一例である。緯糸２６Ｂは、緯糸の一例である。装飾体は、実施形態に開示された構成に限定されるものではなく、その要旨を逸脱しない範囲で種々変更可能であることはいうまでもない。装飾体は、衣服に取り付けられるものの他、髪、鞄等に取り付けられるものを含む。また、装飾体は、ネクタイ、リボンの他、スカーフ、バンダナであってもよい。本実施形態において、合成繊維は、ポリエステル系、ポリアミド系（ナイロン）、ポリウレタン系等を含む。
【符号の説明】
【００２６】
１０…ネクタイ、２６…裏張り生地、２６Ａ…経糸、２６Ｂ…緯糸、２９，４１…表生地、３０…リボン
【図１】
0003231465.tif 000003
【図２】
0003231465.tif 000004
【図３】
0003231465.tif 000005
【図４】
0003231465.tif 000006
【図５】
0003231465.tif 000007
【図６】
0003231465.tif 000008
【図７】
0003231465.tif 000009